(57)【特許請求の範囲】
【請求項１】
移動局と無線通信する基地局を夫々有し、通信方式が相互に異なる複数の移動通信システムから構成される移動通信ネットワークシステムにおいて、
前記複数の移動通信システム間で共用される、前記移動局の位置登録情報を記憶する記憶部と、
前記移動局からの位置登録要求が受信された場合に該位置登録要求の送信元の移動局において通信可能な、前記移動局が使用中の移動通信システムと通信方式が異なる他の移動通信システムの情報を取得する取得部と、
該取得された前記他の移動通信システムの情報に基づいて、前記他の移動通信システムにおける基地局であって前記位置登録要求を受信した前記使用中の移動通信システムにおける基地局の周辺にある基地局を特定する特定部と、
前記位置登録要求を受信した前記使用中の移動通信システムにおける基地局の情報と前記特定された前記他の移動通信システムにおける基地局の情報とを含む前記位置登録要求の送信元の移動局に関する位置登録情報を前記記憶部に記憶する制御部と、
を備える移動通信ネットワークシステム。
【請求項２】
移動局と無線通信する基地局を夫々有し、通信方式が相互に異なる複数の移動通信システムから構成される移動通信ネットワークシステムにおいて、
前記複数の移動通信システム間で共用される、前記移動局の位置登録情報を記憶する記憶部と、
前記移動局から送信される位置登録要求に基づいて前記移動局の利用可能な、前記移動局が使用中の移動通信システムと、該移動通信システムと通信方式が異なる他の移動通信システムとのそれぞれにおいて該移動局の周辺に位置する基地局に関する情報を抽出する抽出部と、
前記抽出された基地局に関する情報を前記位置登録要求の送信元の移動局に関する位置登録情報として前記記憶部に記憶する制御部と、
を備える移動通信ネットワークシステム。
【請求項３】
移動局と無線通信する基地局を夫々有する相互に通信方式の異なる複数の移動通信システムから構成される移動通信ネットワークシステムにおいて、
前記複数の移動通信システム間で共用される、移動局からの位置登録要求を受信した該移動局が使用中の移動通信システムにおける基地局に関する情報と、該移動通信システムと通信方式が異なる他の移動通信システムの基地局であって該移動局の周辺に位置する基地局の情報とを含む該移動局に関する位置登録情報を記憶する記憶部と、
前記位置登録情報に基づいて、前記移動局の待ち受けしている前記移動通信システムと前記他の移動通信システムの一方を保持する待ち受け保持部と、
他の移動局からの通信要求を受信した場合に該通信要求の通信先として指定された前記移動局の待ち受けしている前記移動通信システムと前記他の移動通信システムとの一方を前記待ち受け保持部から取得し、前記位置登録情報に基づいて該取得された前記移動通信システムと前記他の移動通信システムとの一方における基地局を介して前記通信要求に対応する着信通知を前記通信先として指定された前記移動局へ送信する着信通知部と、
を備える移動通信ネットワークシステム。
【請求項４】
移動通信ネットワークシステムを構成する複数の移動通信システムであって、前記複数の移動通信システムのいずれかを用いた移動局の位置登録要求を契機として、該位置登録要求の送信に使用した移動通信システムの基地局の情報と、前記移動通信システムと通信方式が異なる他の移動通信システムにおける該移動局の周辺に位置する基地局の情報とを含む該移動局の位置登録情報が前記複数の移動通信システム間で共用される記憶部に記憶され、且つ該移動局の待ち受けしている前記移動通信システムと前記他の移動通信システムとの一方を示す待ち受けシステム情報を待ち受け保持部で保持する移動通信ネットワークシステムにおける複数の移動通信システムの夫々と通信可能な移動局装置において、
前記複数の移動通信システムそれぞれに対応して設けられ、そのいずれか１つを通信可能状態とされる通信部と、
前記通信部により受信された信号に基づき、該信号に含まれる要求移動通信システムと通信可能状態となっている前記通信部の対応する移動通信システムが異なる場合に前記要求移動通信システムに対応する通信部を通信可能状態とする切替部と、
を備え、
前記信号を受信する通信部は、前記移動局に対する他の移動局からの通信要求時に、前記位置登録情報及び前記待ち受けシステム情報に基づいて、前記待ち受けシステム情報に応じた前記移動通信システムと前記他の移動通信システムとの一方における基地局を通じて前記信号を受信する移動局装置。
【請求項５】
移動局と無線通信する基地局を夫々有し、通信方式が相互に異なる複数の移動通信システムから構成される移動通信ネットワークシステムにおける位置登録方法において、
移動局が使用中の移動通信システムにおける移動通信交換局が、
前記移動局からの位置登録要求が受信された場合に該位置登録要求の送信元の移動局において通信可能な、前記移動局が使用中の移動通信システムと通信方式が異なる他の移動通信システムの情報を取得し、
該取得された前記他の移動通信システムの情報に基づいて、前記他の移動通信システムにおける基地局であって前記位置登録要求を受信した前記使用中の移動通信システムにおける基地局の周辺にある基地局を特定し、
前記位置登録要求を受信した前記使用中の移動通信システムにおける基地局の情報と前記特定された前記他の移動通信システムにおける基地局の情報とを含む前記位置登録要求の送信元の移動局に関する位置登録情報を前記複数の移動通信システム間で共用される記憶部に登録する、
ことを含む位置登録方法。
【発明の詳細な説明】
【技術分野】
【０００１】
本発明は、複数の移動通信システムから構成される移動通信ネットワークシステムに関する。
【背景技術】
【０００２】
携帯電話等の移動通信システムは、ＰＤＣ（Personal Digital Cellular）方式等の第
二世代システムから、現在、ＣＤＭＡ（Code Division Multiple Access）方式による第
三世代システムへと移行され、その第三世代システムによる各種サービスが開始されている。
【０００３】
このような従来の移動通信ネットワークシステムでは、各通信方式によりそれぞれ移動通信システムが設けられており、各移動通信システムがそれぞれ、ユーザ端末（移動局）の位置を把握する必要があった。そこで、移動局の位置情報が、移動通信ネットワークシステム内のホームロケーションレジスタ（以降、単にＨＬＲとも表記する）と呼ばれるデータベース内に各移動通信システムについてそれぞれ登録される。また、この移動局の位置情報には、各セルに設置された基地局（以降、単にＢＳとも表記する）の通信エリアによって移動局（以降、単にＭＳとも表記する）の位置を把握することができることから、各基地局に関する情報が用いられていた。
【０００４】
ここで、従来の移動通信ネットワークシステムにおける移動局の位置登録手順について、図１１を用いて説明する。図１１は、従来システムにおける移動局の位置登録シーケンスを示す図である。図１１では、ＭＳは移動局を、ＢＳ１は移動通信システム１の基地局を、ＢＳ２は移動通信システム２の基地局を、ＨＬＲはホームロケーションレジスタを示す。また、移動通信システム１は、例えばＣＤＭＡ無線システムであり、移動通信システム２は、例えばＰＤＣ無線システムであり、ＭＳは、ＣＤＭＡ方式及びＰＤＣ方式両方の無線インタフェース機能を有するユーザ端末である。この場合、ＭＳは、移動通信システム１及び移動通信システム２双方と通信可能であるため、従来システムでは、移動通信システム１及び移動通信システム２のそれぞれについて独自に位置登録を行う必要があった。
【０００５】
一方、現在、更に高速な無線通信を可能とする次世代移動通信方式が検討されている。このような次世代移動通信方式について、３ＧＰＰ（3rd Generation Partnership Project）により各種規格が策定されている。特に、ユーザ端末に適用されるＩｄｌｅモード手続きでのセル選択、セル再選択プロセスに関する技術が下記非特許文献１にて開示されている。
【非特許文献１】3rd Generation Partnership Project, ”User Equipment (UE) procedures in idle mode and procedures for cell reselection in connected mode (Release 5)”, 3GPP TS 25.304, 2005-03, V5.8.0.
【発明の開示】
【発明が解決しようとする課題】
【０００６】
図１１に示す従来の移動通信ネットワークシステムでは、デュアルモード対応の移動局は、それぞれの無線システムに対し位置登録のための無線電波を送信する必要があることから、移動局の消費電力が多くなるという問題がある。
【０００７】
一方、次世代移動通信においては、伝送レートの高速化とともに、複数の無線システムを相互に連携させ、どのような環境でも利用者がそれら無線システムを意識することなく
利用可能となるようなシステムの実現が望まれる。そして、次世代移動通信では、利用者の用途に応じて複数の移動通信システムが使い分けられ、これらを複合させた形の移動通信ネットワークが形成されると考えられる。
【０００８】
本発明の目的は、複数の無線システムを連携させることにより、移動局装置及び基地局装置の消費電力を削減することができる移動通信ネットワークシステムを実現することである。
【課題を解決するための手段】
【０００９】
本発明は、上述した課題を解決するために以下の構成を採用する。即ち、本発明は、移動局と無線通信する基地局をそれぞれ有する複数の移動通信システムから構成される移動通信ネットワークシステムにおいて、上記移動局の位置情報を記憶する記憶部と、上記移動局からの位置登録要求が受信された場合に、その位置登録要求の送信元の移動局において通信可能な移動通信システムを取得する取得部と、その取得された移動通信システム内の基地局であって、前記位置登録要求を受信した基地局の周辺にある基地局を特定する特定部と、上記位置登録要求を受信した基地局の情報と特定された基地局の情報とを、上記位置登録要求の送信元の移動局に関する位置情報として、上記記憶部に記憶する制御部と、を備える移動通信ネットワークシステムについてのものである。
【００１０】
本発明では、移動局からの位置登録要求が受信されると、当該位置登録要求を受信した基地局の情報と、その位置登録要求の送信元の移動局の通信可能な移動通信システム内の基地局であって、当該位置登録要求を受信した基地局の周辺にある基地局の情報とが、送信元の移動局の位置情報として一括して位置登録される。
【００１１】
従って、本発明によれば、移動局から送信される位置登録要求を減らすことができる。これにより、移動局から上り電波の干渉量を削減することができるため、干渉による再送等も減らすことができる。よって、移動局端末の送信電力を削減することができる。
【００１２】
また、本発明は、移動局と無線通信する基地局を有する複数の移動通信システムから構成される移動通信ネットワークシステムにおいて、上記移動局の位置情報を記憶する記憶部と、上記移動局から送信される位置登録要求に基づいて、上記移動局の利用可能な複数の移動通信システムそれぞれにおいてその移動局の周辺に位置する基地局に関する情報を抽出する抽出部と、上記抽出された基地局に関する情報を上記位置登録要求の送信元の移動局に関する位置情報として上記記憶部に記憶する制御部とを備える移動通信ネットワークシステムについてのものである。
【００１３】
本発明では、移動局から送信される一つの位置登録情報に、送信元の移動局の利用可能な複数の移動通信システムそれぞれについてのその移動局の位置する周辺の基地局に関する情報が含まれており、その位置登録情報に基づいて、その移動局に関する位置登録が一括で行われる。
【００１４】
これにより、移動局から送信される位置登録要求を減らすことができる。これにより、移動局から上り電波の干渉量を削減することができるため、干渉による再送等も減らすことができる。また、移動通信ネットワークシステム側では、移動局からの位置登録要求のみを参照すればよいため、位置登録処理の処理量を軽減することができる。
【００１５】
また、本発明は、移動局と無線通信する基地局を有する複数の移動通信システムから構成される移動通信ネットワークシステムにおいて、上記移動局の待ち受けしている移動通信システムを保持する待ち受け保持部と、他の移動局からの通信要求を受信した場合に、この通信要求の通信先として指定された移動局の待ち受けしている移動通信システムを上
記待ち受け保持部から取得し、この取得された移動通信システムにて、上記通信要求に対応する着信通知を上記通信先として指定された移動局へ送信する着信通知部と、を備える移動通信ネットワークシステムについてのものである。
【００１６】
本発明では、移動局の待ち受けしている移動通信システムが保持され、他の移動局から通信要求が送信されるとその通信先の移動局の待ち受けしている通信システムにより、着信通知が送信される。
【００１７】
従って、本発明では、移動通信システムからの送信電波を減らすことができ、移動局においてもいずれか一つの無線インタフェースでのみ待ち受けを行っていればよいため、システム全体として消費電力を削減することができる。
【００１８】
また、本発明は、移動通信ネットワークシステムを構成する複数の移動通信システムと通信可能な移動局装置において、複数の移動通信システムそれぞれに対応して設けられ、そのいずれか１つを通信可能状態とされる通信部と、当該通信部により受信された信号に基づき、その信号に含まれる要求移動通信システムと通信可能状態となっている上記通信部の対応する移動通信システムが異なる場合に、上記要求移動通信システムに対応する通信部を通信可能状態とする切替部と、を備える移動局装置についてのものである。
【００１９】
本発明では、通信部により受信された信号に基づき、通信可能状態となっている通信部と当該信号に含まれる要求されている移動通信システムとの照合が行われる。その照合により双方の移動通信システムの相違が確認されると、通信可能状態となる移動通信システムが切り替えられる。
【００２０】
従って、本発明によれば、移動局は、いずれか一つの無線インタフェースでのみ待ち受けを行っていればよく、消費電力を削減することができる。
【００２１】
なお、本発明は、以上の何れかの機能を実現させるプログラムであってもよい。また、本発明は、そのようなプログラムをコンピュータが読み取り可能な記憶媒体に記録してもよい。
【発明の効果】
【００２２】
本発明によれば、移動局装置及び基地局装置の消費電力を削減することができる移動無線システムを提供することが可能となる。
【発明を実施するための最良の形態】
【００２３】
以下、図面を参照して、それぞれ本発明の実施形態における移動通信ネットワークシステムについて説明する。以下に述べる実施形態の構成は例示であり、本発明は以下の実施形態の構成に限定されない。
【００２４】
［第一実施形態］
本発明の第一実施形態における移動通信ネットワークシステムについて、以下に説明する。
【００２５】
〔システム構成〕
まず、第一実施形態における移動通信ネットワークシステムのシステム構成について、図１を用いて説明する。図１は、第一実施形態における移動通信ネットワークシステムのシステム構成を示すブロック図である。本移動通信ネットワークシステムは、移動通信システム１００及び２００、ホームロケーションレジスタ３００、地理情報管理データベース３０１、及び移動局１から構成される。
【００２６】
移動通信システム１００及び２００は、例えば、それぞれ異なる通信方式により実現されるシステムであり、それらと同一ネットワークに接続されるＨＬＲ３００及び地理情報管理データベース３０１を共有することにより相互連携する。ここで、移動通信システム１００は、例えばＣＤＭＡ（Code Division Multiple Access）無線システムであり、移
動通信システム２００は例えばＯＦＤＭ（Orthogonal Frequency Division Multiplexing）無線システムである。
【００２７】
各移動通信システム１００及び２００は、それぞれの通信方式を実現する移動通信交換局（以降、単にＭＳＣとも表記する）、及び基地局から構成される。すなわち、移動通信システム１００は、ＢＳ１−１、１−２、１−３及び１−４と、それらＢＳに接続されるＭＳＣ１とから構成され、移動通信システム２００は、ＢＳ２−１、２−２、２−３及び２−４と、それらに接続されるＭＳＣ２とから構成される。なお、本発明は、上記構成に限定されるものではなく、特に、ＭＳＣ及びＢＳの数については本実施形態に限定されるものではない。他のシステム構成例については、変形例の項で後述する。
【００２８】
以下、本移動通信ネットワークシステムを構成する各機能部について説明する。以下の説明では、本移動通信ネットワークシステムを構成する移動通信システム１００及び２００のうち、移動通信システム１００を例に挙げ説明する。移動通信システム２００を構成する各機能部の有する機能は、通信方式以外、移動通信システム１００の各機能部の機能と同様である。
【００２９】
〈移動局（ＭＳ）〉
ＭＳ１は、複数の無線インタフェース機能を有し、各無線インタフェースにより実現される通信方式により、対応するＢＳと無線電波を送受信する。ＭＳ１は、移動通信システム１００における通信方式により、ＢＳ１−１、１−２、１−３及び１−４と通信し、移動通信システム２００における通信方式により、ＢＳ２−１、２−２、２−３及び２−４と通信する。
【００３０】
また、ＭＳ１は、あるＢＳの対応する通信エリアから他のＢＳの対応する通信エリアに移動したことを検知すると、自身の位置を本移動通信ネットワークシステムに把握させるため、位置登録要求信号を送信する。例えば、ＭＳ１は、ＢＳ１−１の対応する通信エリアからＢＳ１−２の対応する通信エリアに移動したことを検知した場合、位置登録要求信号を送信する。このとき、ＭＳ１は、対応する複数の移動通信システムそれぞれについて移動を検知し、いずれか一つの移動通信システムに対して位置登録要求信号を送信する。なお、ＭＳ１は、ＢＳから微弱電波により送信される報知情報信号を受信することにより、このような通信エリアの移動を認識するようにしてもよい。
【００３１】
〈基地局（ＢＳ）〉
ＢＳは、例えば通信エリアである各セルに設置され、ＭＳ１と無線電波を送受信する。また、各ＢＳは、本移動通信ネットワークシステムのサポートする通信方式のいずれかを実装する。すなわち、ＢＳ１−１、１−２、１−３及び１−４は、移動通信システム１００の通信インタフェースを有し、ＢＳ２−１、２−２、２−３及び２−４は、移動通信システム２００の通信インタフェースを有する。各ＢＳは、ＭＳ１から送信される位置登録要求信号を受信し、同一システム内のＭＳＣに渡す。
【００３２】
〈ホームロケーションレジスタ（ＨＬＲ）〉
ＨＬＲ３００は、ＭＳの現在位置、及びＭＳが利用することができる移動通信システムをＭＳ単位で記憶するデータベースである。ＨＬＲ３００には、例えば、ＭＳの位置情報として、ＭＳの位置する地域を通信エリアとするＢＳの識別情報が登録される。
【００３３】
図２は、本実施形態におけるＨＬＲのテーブルの構成例を示す図である。図２に示すように、ＨＬＲ３００には、ＭＳ毎に、ＭＳを識別する移動局ＩＤ、ＭＳの現在の位置を示す位置情報、及びＭＳの対応する移動通信システム情報が登録される。位置情報には、ＭＳの対応する移動通信システム毎のＢＳ情報がそれぞれ登録される。図２に示す例では、４台のＭＳに関する情報が登録されている（ＭＳ１からＭＳ４）。そのうち、ＭＳ１に関し、移動通信システム１００及び２００のデュアルモード対応であること、また、位置情報としてＢＳ１−２（移動通信システム１００）、及びＢＳ２−２（移動通信システム２００）がそれぞれ登録されている。
【００３４】
〈地理情報管理データベース〉
地理情報管理データベース３０１は、エリア毎に、そのエリアの周辺若しくは当該エリアを通信エリアとするＢＳのリストを記憶する。図３は、本実施形態における地理情報管理データベースのテーブル構成例を示す図である。図３の例では、ＢＳ１−１に関し、それと同一の通信エリアをカバーする移動通信システム２００のＢＳ２−１が登録されている。図３の例におけるシステム構成のイメージを図４に示す。すなわち、図３には、図４の例のように、通信エリア４０１がＢＳ１−１とＢＳ２−１によりカバーされ、通信エリア４０２がＢＳ１−２とＢＳ２−２によりカバーされ、通信エリア４０３がＢＳ１−３とＢＳ２−３によりカバーされ、通信エリア４０４がＢＳ１−４とＢＳ２−４とＢＳ３−４によりカバーされていることが示されている。なお、図３及び４に示す構成はあくまで一例であり、本発明はこの構成に限定されるものではない。
【００３５】
〈移動通信交換局（ＭＳＣ）〉
ＭＳＣ１は、同一移動通信システムのＢＳ１−１、１−２、１−３及び１−４と通信することにより、ＭＳ１の各種情報を管理する。ＭＳＣ１は、各ＢＳ１−１、１−２、１−３及び１−４のいずれかからＭＳ１からの位置登録要求を受け、それに基づき、ＨＬＲ３００に当該ＭＳの位置情報を登録する。この場合、ＭＳＣ１は、ＨＬＲ３００及び地理情報管理データベース３０１を参照することにより、位置登録要求信号の送信元のＭＳが対応する移動通信システムに接続され、当該位置登録要求信号が受信されたＢＳと周辺若しくは同一通信エリアをカバーする他のＢＳの識別情報を取得する。ＭＳＣ１は、該識別情報を取得したＢＳと当該位置登録要求信号が受信されたＢＳとの識別情報を位置登録する。その他、ＭＳＣ１は、例えば携帯電話サービスであれば、あるＭＳからの呼により通信相手となる他のＭＳへの交換接続等を行うようにしてもよい。
【００３６】
〔動作例〕
次に、第一実施形態における移動通信ネットワークシステムの動作例について、図５を用いて説明する。図５は、本実施形態における移動通信ネットワークシステムの位置登録シーケンスを示す図である。また、図５は、ＭＳ１から移動通信システム１００の通信方式により位置登録要求信号が送信された場合の例である。
【００３７】
ＭＳＣ１は、ＭＳ１からの位置登録要求信号をＢＳ１−１を経由して受信する（Ｓ５０１）と、受信された位置登録要求信号から送信元を識別する移動局ＩＤを取得する。ＭＳＣ１は、この取得された移動局ＩＤに基づきＨＬＲ３００を参照することにより、このＭＳ１が対応する移動通信システムに関する情報を取得する。図２の例では、ＭＳ１の対応するシステムとして、移動通信システム１００及び２００が抽出される。また、ＭＳＣ１は、位置登録要求信号を受信した基地局がＢＳ１−１であることを認識する。
【００３８】
続いて、ＭＳＣ１は、抽出されたシステム情報に基づき、地理情報管理データベース３０１を参照し、位置登録要求信号が受信されたＢＳ１−１の周辺若しくは同一通信エリアをカバーする、移動通信システム２００の基地局の存在を検索する（Ｓ５０２）。ＭＳＣ
１は、図３の例によれば、地理情報管理データベース３０１からＢＳ２−１を抽出する（Ｓ５０３）。
【００３９】
ＭＳＣ１は、この抽出結果に基づき、ＭＳ１の位置情報としてＨＬＲ３００に、ＢＳ１−１と共にＢＳ２−１を位置登録する（Ｓ５０４）。最後に、ＭＳＣ１は、ＢＳ１−１を経由して、ＢＳ１−１及びＢＳ２−１の位置登録の完了を通知する（Ｓ５０５）。なお、ＭＳＣ１は、地理情報管理データベース３０１を検索した結果、該当する基地局がない場合には、ＨＬＲ３００にＢＳ１−１のみを位置登録する。また、ＭＳＣ１は、ＨＬＲ３００を検索して、ＭＳ１の対応する他の移動通信システムがないことを認識すると、地理情報管理データベース３０１への検索を行わず、そのまま、ＢＳ１−１を位置登録する。
【００４０】
〈第一実施形態における作用／効果〉
ここで、上述した第一実施形態における移動通信ネットワークシステムの作用及び効果について述べる。
【００４１】
本実施形態による移動通信ネットワークシステムでは、ＭＳ１からの位置登録要求信号がＢＳ１−１を経由して受信されると、このＢＳ１−１が認識されると共に、ＨＬＲ３００からＭＳ１の対応する移動通信システムに関する情報が取得される。
【００４２】
続いて、取得されたシステム情報に基づき、地理情報管理データベース３０１から、ＢＳ１−１の周辺若しくは同一通信エリアをカバーする、他の移動通信システムの基地局の存在が検索される。そして、この検索結果に基づき、ＭＳ１の位置情報としてＨＬＲ３００に、ＢＳ１−１と共にＭＳ１が対応する他の移動通信システムの基地局としてＢＳ２−１が位置登録される。
【００４３】
このように、本実施形態では、ＭＳ１からの一の位置登録要求によって、要求された移動通信システムの基地局と共に、ＭＳ１が対応する他の移動通信システムの基地局についても、同時に位置登録が行われる。
【００４４】
これにより、ＭＳから送信される位置登録要求信号を減らすことができ、上り干渉量を削減することができる。
【００４５】
［第二実施形態］
本発明の第二実施形態に係る移動通信ネットワークシステムについて以下に説明する。先に説明した第一実施形態に係る移動通信ネットワークシステムは、地理情報管理データベース３０１を備え、この地理情報管理データベース３０１から、ＭＳの対応する他の移動通信システムの基地局を検索していた。第二実施形態における移動通信ネットワークシステムは、ＭＳが利用可能な他の移動通信システムであって、ＭＳが現在位置する周辺の基地局に関する情報を、ＭＳ自身が通知するという構成を採る。
【００４６】
〔システム構成〕
第二実施形態におけるシステム構成は、図１に示す第一実施形態におけるシステム構成から地理情報管理データベース３０１を省いたものと同様である。すなわち、第二実施形態における移動通信ネットワークシステムは、移動通信システム１００及び２００、ＨＬＲ３００、及びＭＳ１から構成される。移動通信システム１００及び２００は、それらと同一ネットワークに接続されるＨＬＲ３００を共有することにより相互連携する。なお、本発明は、上記構成に限定されるものではなく、他の構成例については、変形例の項で後述する。以下、第一実施形態と異なる機能を有する機能部について、その異なる機能を中心に説明し、第一実施形態と同様の機能については説明を省略する。
【００４７】
〈移動局（ＭＳ）〉
ＭＳ１は、自身の位置を通信エリアとする基地局に関する情報を利用可能な移動通信システム毎に保持する機能を有する。基地局に関する情報は、各移動通信システムのＢＳから送信される報知情報から取得される。ＭＳ１は、対応する複数の移動通信システムのＢＳから送信される報知情報を常に受信し、受信された報知情報に含まれるＢＳの識別情報と、既に保持されているＢＳの識別情報とを対比する。
【００４８】
ＭＳ１は、受信された報知情報に含まれるＢＳの識別情報と、既に保持されているＢＳの識別情報とが相違していることを検知すると、位置登録要求信号をいずれか一つの移動通信システムの通信方式を用いて送信する。ＭＳ１は、この位置登録要求信号に、自身が保持する全てのＢＳの識別情報を設定する。
【００４９】
〈移動通信交換局（ＭＳＣ）〉
本実施形態における位置登録要求には、送信元のＭＳの利用可能な全ての移動通信システムに関するＢＳ情報が含まれているため、ＭＳＣ１は、それらＢＳ情報をＨＬＲ３００に位置情報として一括登録する。ＭＳＣ１は、その登録結果を当該位置登録要求が受信されたＢＳを経由することによりＭＳへ送信する。
【００５０】
〈ホームロケーションレジスタ（ＨＬＲ）〉
ＨＬＲ３００は、第一実施形態と異なり、ＭＳが利用することができる移動通信システムを記憶する必要がないため、図２に示すテーブルから対応システムフィールドを削除した構成となる。
【００５１】
〔動作例〕
次に、第二実施形態における移動通信ネットワークシステムの動作例について、図４及び図６を用いて説明する。図６は、本実施形態における移動通信ネットワークシステムの位置登録シーケンスを示す図である。以下、図４に示す例に基づき説明する。
【００５２】
ＭＳ１は、図４に示す通信エリア４０２内に存在するとする。この場合、ＭＳ１は、ＢＳ１−２及びＢＳ２−２から送信される報知情報をそれぞれ受信し、各報知情報に含まれるＢＳの識別情報によりＢＳ１−２及びＢＳ２−２に関する情報を保持する。この状態で、ＭＳ１が通信エリア４０１へ移動した場合、本移動通信ネットワークシステムは以下のように動作する。
【００５３】
ＭＳ１は、ＢＳ１−１からの報知情報を受信すると、その報知情報からＢＳ１−１を示す情報を取得する。同様に、ＭＳ１は、ＢＳ２−１からの報知情報を受信し、それからＢＳ２−１を示す情報を取得する。ＭＳ１は、報知情報から取得されたＢＳ１−１、ＢＳ２−１と、保持されているＢＳ１−２、ＢＳ２−２とを、同一の移動通信システムどうしで比較する。ＭＳ１は、いずれかの移動通信システムにおいてＢＳが切り替ったことを認識すると、最新の基地局情報（ＢＳ１−１、ＢＳ２−１）を設定した位置登録要求信号をいずれかの移動通信システムの通信方式により送信する。ここでは、ＭＳ１は、移動通信システム１００の通信方式により当該位置登録要求信号を送信したものとする。
【００５４】
ＭＳＣ１は、ＭＳ１からの位置登録要求信号をＢＳ１−１を経由して受信する（Ｓ６０１）と、受信された位置登録要求信号から送信元を識別する移動局ＩＤ、及び基地局情報（ＢＳ１−１、ＢＳ２−１）を取得する。ＭＳＣ１は、この取得された移動局ＩＤに関する位置情報として、取得されたＢＳ１−１及びＢＳ２−１をＨＬＲ３００に登録する（Ｓ６０２）。最後に、ＭＳＣ１は、ＢＳ１−１を経由して、ＢＳ１−１及びＢＳ２−１の位置登録の完了をＭＳ１に通知する（Ｓ６０３）。
【００５５】
〈第二実施形態における作用／効果〉
ここで、上述した第二実施形態における移動通信ネットワークシステムの作用及び効果について述べる。
【００５６】
本実施形態による移動通信ネットワークシステムでは、ＭＳ１からの位置登録要求信号には、ＭＳ１が利用可能な全ての移動通信システムの基地局情報が含まれている。ＭＳＣ１は、これにより、ＨＬＲ３００の送信元となるＭＳ１に関する位置情報を更新する。
【００５７】
このように、本実施形態では、ＭＳ１から送信される位置登録要求に、位置登録すべき全ての移動通信システムの基地局情報が含まれているため、その要求により一括で位置登録が行われる。
【００５８】
これにより、ＭＳから送信される位置登録要求信号を減らすことができ、上り干渉量を削減することができる。また、地理情報管理データベース３０１をなくすことができ、更に、それらの検索処理を軽減することができるため、高速な位置登録処理をすることができる。
【００５９】
［第三実施形態］
本発明の第三実施形態に係る移動通信ネットワークシステムについて以下に説明する。先に説明した実施形態における移動通信ネットワークシステムは、ＭＳからの位置登録要求に応じてその移動局の利用可能な全ての移動通信システムに関し、一括で位置登録を行うというものであった。第三実施形態における移動通信ネットワークシステムは、第一実施形態及び第二実施形態における位置登録機能に基づく呼接続機能に関し特徴を有するものである。
【００６０】
〔システム構成〕
第三実施形態における移動通信ネットワークシステムは、呼接続機能に関し特徴を有するものであるため、位置登録機能は、第一実施形態又は第二実施形態いずれのシステムの機能を採用してもよい。従って、本移動通信ネットワークシステムのシステム構成は、第一実施形態又は第二実施形態のいずれの構成であってもよい。以下、本実施形態の特徴となる呼接続機能に関し、図１に示すシステム構成の機能部毎に説明する。
【００６１】
〈移動局（ＭＳ）〉
ＭＳ１は、移動通信システム１００及び２００両方の通信方式に対応したデュアルモードを有するユーザ端末であり、どちらか一方の無線インタフェースのみ動作するように切り替えられる。ＭＳ１は、例えば、図７に示すような装置構成としてもよい。図７は、第三実施形態における移動局の装置構成を示す図である。ＭＳ１は、アンテナ素子７００、移動通信システム１００の通信方式を実現する無線インタフェース７１０、移動通信システム２００の通信方式を実現する無線インタフェース７２０、着信監視部７３１、電源部７３２、制御部７３３等から構成される。各機能部は、それぞれハードウェア回路で構成され、一連の処理を実現するようにしてもよいし、また、メモリに記憶される制御プログラム等をＣＰＵ（Central Processing Unit）により実行させることで実現させるように
してもよい。
【００６２】
アンテナ素子７００は、無線インタフェース７１０及び７２０にそれぞれ接続される二本のアンテナ素子で構成されてもよいし、無線インタフェース７１０及び７２０それぞれから出力される信号をハイブリッド合成器等により合成し出力する一本のアンテナ素子で構成されるようにしてもよい。本移動通信ネットワークシステムは、アンテナ素子の数を限定するものではない。
【００６３】
電源部７３２は、無線インタフェース７１０及び７２０への電源供給量、若しくは電源入／断を制御することにより、いずれか一方の無線インタフェースのみ通信可能状態となるよう制御する。なお、電源部７３２から出力される制御信号等により、無線インタフェースの通信可能状態を切り替えるようにしてもよい。
【００６４】
無線インタフェース７１０は送信部７１１及び受信部７１２を有し、無線インタフェース７２０は送信部７２１及び受信部７２２を有する。無線インタフェースは、何れか一方のみ通信可能状態となるよう制御される。送信時には、制御部７３３により電源部７３２が制御され、送信されるべき無線インタフェースが選択されるようにしてもよい。制御部７３３から送信データを受けると、送信部７１１若しくは７２１のいずれかはそれらを無線信号として送信する。
【００６５】
一方、受信時は、そのときの通信可能状態となっている無線インタフェースの通信方式でのみ受信することができる。このような移動局の受信可能な状態を待ち受け状態ともいう。すなわち、移動局の待ち受け状態に対応する移動通信システムからの送信信号のみ、ＭＳは受信することができ、アンテナ素子７００により受信された無線信号は、その通信方式により対応する無線インタフェースの受信部７１２又は７２２に渡される。
【００６６】
着信監視部７３１は、受信部７１２及び７２２と接続され、それらにより受信された着信信号が他方の移動通信システムに関する着信であるか否かを監視する。着信監視部７３１は、他方移動通信システムの着信であることを検知すると、電源部７３２に待ち受け状態を切り替えるよう指示する。
【００６７】
〈ホームロケーションレジスタ（ＨＬＲ）〉
ＨＬＲ３００は、第一実施形態及び第二実施形態における構成に、ＭＳの待ち受けシステム情報を記憶するフィールドが付加される。このフィールドには、最近の位置登録要求信号が受信された移動通信システムに関する情報が格納される。
【００６８】
図８は、第一実施形態にＨＬＲ３００に第三実施形態を適用させた場合のテーブル構成例である。一番右の列に、ＭＳの待ち受けシステム情報を記憶するフィールドが付加されている。例えば、ＭＳ１から送信された位置登録要求信号がＢＳ２−２で受信された場合には、ＭＳ１に相当するレコードの上記フィールドには、移動通信システム２００を示す情報が格納される。
【００６９】
〈移動通信交換局（ＭＳＣ）〉
ＭＳＣ１は、位置登録要求が受信されると、自身の対応する移動通信システムを示す情報（移動通信システム１００）を、送信元のＭＳの最近待ち受けシステム情報としてＨＬＲ３００に登録する。
【００７０】
また、ＭＳＣ１は、ＭＳから他のＭＳへの通信要求を受信すると、その通信先となるＭＳへ着信通知信号を送信する。このとき、ＭＳＣ１は、通信先となるＭＳに関し、ＨＬＲ３００から待ち受けシステム情報を抽出し、抽出された待ち受けシステムが自身の移動通信システム１００であるか否かを調べる。ＭＳＣ１は、通信先のＭＳが移動通信システム１００で待ち受けしていないと判断すると、その待ち受けシステムに対応するＭＳＣ２に対して、通信要求を転送する。転送される通信要求には、送信元のＭＳ２が要求している移動通信システム１００を示す情報が含まれるようにしてもよい。このとき、ＭＳＣ１は、最終的に着信通知信号を送信する必要があるため、通信要求を転送したことを覚えるようにしてもよい。
【００７１】
通信要求を転送されたＭＳＣ２は、上述と同様に通信先となるＭＳの待ち受けシステム
を調べ、ＨＬＲ３００に登録されたＢＳを経由して、着信通知を送信する。着信通知には、送信元のＭＳ２が要求する移動通信システム１００を示す情報が設定されるようにしてもよい。
【００７２】
〔動作例〕
次に、第三実施形態における移動通信ネットワークシステムの動作例について、図８を用いて説明する。図９は、本実施形態における移動通信ネットワークシステムの呼接続シーケンスを示す図である。以下、ＨＬＲ３００に、ＭＳ１の待ち受けシステム情報として移動通信システム２００が、ＭＳ１の位置情報としてＢＳ１−１及びＢＳ２−１が登録されている状況で、ＭＳ２から移動通信システム１００によりＭＳ１宛の通信要求が送信された場合を例に挙げ説明する。
【００７３】
ＭＳＣ１は、移動通信システム１００のＢＳを経由して、ＭＳ２からの通信要求を受信する（Ｓ８０１）。ＭＳＣ１は、通信要求を受信すると、ＨＬＲ３００から、その通信先となるＭＳ１の待ち受けシステム情報を抽出する。この場合には、ＭＳＣ１は、ＭＳ１が移動通信システム２００で待ち受けしていることを認識する。ＭＳＣ１は、ＭＳ１が自身の移動通信システムと異なるシステムで待ち受けしているため、当該通信要求をＭＳＣ２へ転送する。転送後、ＭＳＣ１は、本来の着信通知を再送するための待ち状態となるようにしてもよい。
【００７４】
ＭＳＣ２は、通信要求を受けると、ＭＳＣ１と同様にＨＬＲ３００を検索し、ＭＳ１が移動通信システム２００で待ちうけしていると認識する。ＭＳＣ２は、その認識により、ＨＬＲ３００の位置情報に登録されるＢＳ２−１を経由して、ＭＳ１へ着信通知を送信する（Ｓ８０２）。この着信通知には、送信元のＭＳ２が要求する移動通信システム１００を示す情報が設定されている。
【００７５】
ＭＳ１は、着信通知を受信すると、この着信通知が待ち受け状態の移動通信システムとは異なる移動通信システムに関するものであるか否かを判断する（着信監視部７３１）。ＭＳ１は、この判断により、異なる移動通信システムに関する着信通知であると判断すると、待ち受け状態を切り替え、移動通信システム１００を通信可能状態とする（電源部７３２）。ＭＳ１は、自身の待ち受け状態が正常に切り替ったことを確認すると、その切り替った後の移動通信システム１００の通信方式により、位置登録要求信号を送信する。
【００７６】
ＭＳＣ１は、この位置登録要求信号をＢＳ１−１を経由して受信すると（Ｓ８０３）、第一実施形態若しくは第二実施形態の手法によりＭＳ１に関する位置登録を行うと共に、ＭＳ１に関する待ち受けシステム情報として移動通信システム１００をＨＬＲ３００に設定する。これにより、ＭＳＣ１は、ＭＳ１の待ち受け状態が切り替ったことを検知する。ＭＳＣ１は、位置登録完了応答をＭＳ１へ送信する（Ｓ８０４）。続けて、ＭＳＣ１は、先に通信要求を転送しており、通信先となるＭＳ１が所望の移動通信システムに切り替ったことを検知したため、再度、本来の着信通知をＢＳ１−１経由で送信する（Ｓ８０５）。
【００７７】
ＭＳ１は、現在の待ち受け状態の移動通信システムに関する着信通知を受信したことを検知することにより、通信状態となる（Ｓ８０６）。
【００７８】
〈移動局の動作例〉
上述には、第三実施形態における移動通信ネットワークシステム全体の動作例を説明した。以下、移動局に関する動作例を図１０を用いて説明する。図１０は、第三実施形態における移動局の動作フローを示す図である。
【００７９】
ＭＳ１は、着信通知を受信すると（Ｓ１００１）、この着信通知の要求する移動通信システムを取得する（Ｓ１００２）。ＭＳ１は、この取得された要求移動通信システムと、自身の待ち受けシステムとを照合する（Ｓ１００３）。ＭＳ１は、この照合により、現在の待ち受けシステムと取得された要求移動通信システムとが同じであると判断すると（Ｓ１００３；ＹＥＳ）、そのまま当該送信要求の送信相手と通信を開始する（Ｓ１００８）。
【００８０】
一方、ＭＳ１は、要求移動通信システムと現在の待ち受けシステムとが異なると判断すると（Ｓ１００３；ＮＯ）、異なる移動通信システムに関する着信通知であると判断し、待ち受け状態を要求される移動通信システムへ切り替える（Ｓ１００４）。ＭＳ１は、その後、切り替った後の移動通信システムの通信方式により、位置登録要求信号を送信する（Ｓ１００５）。
【００８１】
ＭＳ１は、上記位置登録要求信号に対応する位置登録応答を受信し（Ｓ１００６）、切り替え後の要求移動通信システムにおいて着信通知を受信する（Ｓ１００７）。最終的に、ＭＳ１は、要求される移動通信システムにより通信要求相手と通信を開始する（Ｓ１００８）。
【００８２】
〈第三実施形態における作用／効果〉
ここで、上述した第三実施形態における移動通信ネットワークシステムの作用及び効果について述べる。
【００８３】
本実施形態による移動通信ネットワークシステムでは、ＭＳ１からの位置登録要求信号により、ＭＳ1の待ち受けシステムがＨＬＲ３００に登録される。通信相手によりＭＳ１
の待ち受けシステムと異なる移動通信システムでＭＳ１に通信要求が出された場合には、ＨＬＲ３００に登録されている待ち受けシステムが検索され、ＭＳ１の待ち受けシステムにより着信通知が送信される。
【００８４】
ＭＳ１では、着信通知が受信されると、待ち受けシステムと要求される移動通信システムとの整合が確認される。その確認によりそれらシステムの不整合が確認されると、ＭＳ１では、待ち受けシステムが要求される移動通信システムへ切り替えられる。更に、ＭＳ１において待ち受けシステムの切り替えが完了すると切り替え後の移動通信システムにより位置登録要求が送信される。
【００８５】
続いて、本移動通信ネットワークシステムでは、位置登録要求が受信されると、位置登録が行われると共にＨＬＲ３００に登録されるＭＳ１の待ち受けシステムが更新される。この更新により、ＭＳ１が要求された移動通信システムに切り替ったことが認識され、再度、着信通知が、切り替り後の移動通信システムにより送信される。以降、ＭＳ１では、要求された移動通信システムにおける着信通知の受信が確認され、当該通信相手と通信可能状態となる。
【００８６】
このように、本実施形態では、ＭＳ1の待ち受けシステムと異なる移動通信システムで
通信要求が出されると、待ち受けシステムにおいて一度着信通知が送信される。これにより、ＭＳ１の待ち受けシステムが切り替えられ、以降、要求された移動通信システムでの通信が可能となる。
【００８７】
これにより、移動局は、いずれか一つの無線インタフェースでのみ待ち受けを行っていればよく、消費電力を削減することができる。
【００８８】
［変形例］
上述の本発明の実施形態では、位置登録機能はＭＳＣで制御されているが、基地局自身がその機能を有するようにしてもよい。この場合には、位置登録要求信号を受信した基地局がＨＬＲ３００、地理情報管理データベース３０１を参照することにより、ＨＬＲ３００に位置登録を行うようにしてもよい。
【００８９】
また、移動通信ネットワークシステムにおける複数の移動通信システムを制御する制御装置を新たに設け、その制御装置により、上記位置登録機能が実現されるようにしてもよい。この場合には、第三実施形態における呼接続機能も、この制御装置により行うようにしてもよい。
【００９０】
[その他]
本実施形態は次の発明を開示する。各項に開示される発明は、必要に応じて可能な限り組み合わせることができる。
【００９１】
（付記１）
移動局と無線通信する基地局を有する複数の移動通信システムから構成される移動通信ネットワークシステムにおいて、
前記移動局の位置情報を記憶する記憶部と、
前記移動局からの位置登録要求が受信された場合に該位置登録要求の送信元の移動局において通信可能な移動通信システムを取得する取得部と、
該取得された移動通信システム内の基地局であって前記位置登録要求を受信した基地局の周辺にある基地局を特定する特定部と、
前記位置登録要求を受信した基地局の情報と前記特定された基地局の情報とを前記位置登録要求の送信元の移動局に関する位置情報として前記記憶部に記憶する制御部と、
を備える移動通信ネットワークシステム。（請求項１）
（付記２）
前記移動局の通信可能な移動通信システムを記憶するシステム記憶部と、
前記基地局に関し、該基地局の周辺に位置する他の移動通信システムの基地局の情報を記憶する地理情報記憶部と、を更に備え、
前記取得部は、前記位置登録要求の送信元の移動局において通信可能な移動通信システムを前記システム記憶部から取得し、
前記特定部は、前記基地局を前記地理情報記憶部から特定する、
付記１に記載の移動通信ネットワークシステム。
【００９２】
（付記３）
移動局と無線通信する基地局を有する複数の移動通信システムから構成される移動通信ネットワークシステムにおいて、
前記移動局の位置情報を記憶する記憶部と、
前記移動局から送信される位置登録要求に基づいて前記移動局の利用可能な複数の移動通信システムそれぞれにおいて該移動局の周辺に位置する基地局に関する情報を抽出する抽出部と、
前記抽出された基地局に関する情報を前記位置登録要求の送信元の移動局に関する位置情報として前記記憶部に記憶する制御部と、
を備える移動通信ネットワークシステム。（請求項２）
（付記４）
移動通信ネットワークシステムを構成する複数の移動通信システムと通信可能な移動局装置であって、
複数の移動通信システム内の各基地局からそれぞれ送信された報知情報を受信する受信部と、
前記報知情報に含まれる基地局の情報に基づいて、自身の周辺に位置する基地局の情報
を、複数の移動通信システムそれぞれについて保持する保持部と、
保持されている基地局の情報と受信された報知情報に含まれる基地局の情報とが異なる場合に保持されている複数の移動通信システムについての基地局の情報を含めた位置登録要求をいずれか１つの移動通信システムへ送信する送信部と、
を備える移動局装置。
【００９３】
（付記５）
移動局と無線通信する基地局を有する複数の移動通信システムから構成される移動通信ネットワークシステムにおいて、
前記移動局の待ち受けしている移動通信システムを保持する待ち受け保持部と、
他の移動局からの通信要求を受信した場合に該通信要求の通信先として指定された移動局の待ち受けしている移動通信システムを前記待ち受け保持部から取得し、該取得された移動通信システムにて前記通信要求に対応する着信通知を前記通信先として指定された移動局へ送信する着信通知部と、
を備える移動通信ネットワークシステム。（請求項３）
（付記６）
前記待ち受け保持部は、前記移動局からの位置登録要求を受信した移動通信システムを、その位置登録要求の送信元の移動局の待ち受けしている移動通信システムとして保持する、
付記５に記載の移動通信ネットワークシステム。
【００９４】
（付記７）
前記着信通知部は、前記着信通知の送信後、前記通信先として指定された移動局からの位置登録要求が受信され、前記待ち受け保持部によりその移動局の待ち受けしている移動通信システムの切り替りが確認されると、その切り替った後の移動通信システムにて、前記着信通知を再度送信する、
付記６に記載の移動通信ネットワークシステム。
【００９５】
（付記８）
移動通信ネットワークシステムを構成する複数の移動通信システムと通信可能な移動局装置において、
複数の移動通信システムそれぞれに対応して設けられ、そのいずれか１つを通信可能状態とされる通信部と、
前記通信部により受信された信号に基づき、該信号に含まれる要求移動通信システムと通信可能状態となっている前記通信部の対応する移動通信システムが異なる場合に前記要求移動通信システムに対応する通信部を通信可能状態とする切替部と、
を備える移動局装置。（請求項４）
（付記９）
移動局と無線通信する基地局を有する複数の移動通信システムから構成される移動通信ネットワークシステムにおける位置登録方法において、
前記移動局からの位置登録要求が受信された場合に該位置登録要求の送信元の移動局において通信可能な移動通信システムを取得するステップと、
該取得された移動通信システム内の基地局であって前記位置登録要求を受信した基地局の周辺にある基地局を特定するステップと、
前記位置登録要求を受信した基地局の情報と前記特定された基地局の情報とを、前記位置登録要求の送信元の移動局に関する位置情報として登録するステップと、
を備える位置登録方法。（請求項５）
（付記１０）
移動局と無線通信する基地局を有する複数の移動通信システムから構成される移動通信ネットワークシステムにおける位置登録方法において、
前記移動局から送信される位置登録要求に基づいて前記移動局の利用可能な複数の移動通信システムそれぞれにおいて該移動局の周辺に位置する基地局に関する情報を抽出するステップと、
前記抽出された基地局に関する情報を前記位置登録要求の送信元の移動局に関する位置情報として登録するステップと、
を備える位置登録方法。
【００９６】
（付記１１）
移動局と無線通信する基地局を有する複数の移動通信システムから構成される移動通信ネットワークシステムにおける通信接続方法において、
前記移動局の待ち受けしている移動通信システムを保持する保持ステップと、
他の移動局からの通信要求を受信した場合に該通信要求の通信先として指定された移動局の待ち受けしている移動通信システムを取得し、該取得された移動通信システムにて前記通信要求に対応する着信通知を前記通信先として指定された移動局へ送信するステップと、
を備える通信接続方法。
【００９７】
（付記１２）
前記保持ステップは、前記移動局からの位置登録要求を受信した移動通信システムを該位置登録要求の送信元の移動局の待ち受けしている移動通信システムとして保持する、
付記１１に記載の通信接続方法。
【００９８】
（付記１３）
前記着信通知の送信後、前記通信先として指定された移動局からの位置登録要求が受信され、該移動局の待ち受けしている移動通信システムの切り替りが確認されると、該切り替った後の移動通信システムにて前記着信通知を再度送信するステップを更に備える付記１２に記載の通信接続方法。
【００９９】
（付記１４）
移動通信ネットワークシステムを構成する複数の移動通信システムと通信可能な移動局であって、複数の移動通信システムそれぞれに対応して設けられ、そのいずれか１つを通信可能状態とされる通信インタフェースを有する移動局における通信インタフェース切替方法において、
前記通信インタフェースにより受信された信号に基づき、該信号に含まれる要求移動通信システムと通信可能状態となっている前記通信インタフェースの対応する移動通信システムが異なる場合に前記要求移動通信システムに対応する通信部を通信可能状態に切り替えるステップを備える通信インタフェース切替方法。
【図面の簡単な説明】
【０１００】
【図１】第一実施形態における移動通信ネットワークシステムの構成例を示す図である。
【図２】第一実施形態におけるホームロケーションレジスタのテーブル構成例を示す図である。
【図３】地理情報管理データベースのテーブル構成例を示す図である。
【図４】各基地局の通信エリアを示す図である。
【図５】第一実施形態における位置登録シーケンスを示す図である。
【図６】第二実施形態における位置登録シーケンスを示す図である。
【図７】第三実施形態における移動局の装置構成を示す図である。
【図８】第三実施形態におけるホームロケーションレジスタのテーブル構成例を示す図である。
【図９】第三実施形態における呼接続シーケンスを示す図である。
【図１０】第三実施形態における移動局の動作フローを示す図である。
【図１１】従来システムにおける位置登録手順を示す図である。
【符号の説明】
【０１０１】
１  移動局（ＭＳ）
１００、２００  移動通信システム
３００  ホームロケーションレジスタ（ＨＬＲ）
３０１  地理情報管理データベース
４０１、４０２、４０３、４０４  通信エリア
７００  アンテナ素子
７１０、７２０  無線インタフェース
７１１、７２１  送信部
７１２、７２２  受信部
７３１  着信監視部
７３２  電源部
７３３  制御部
【図１】
0004676275.tif 000002
【図２】
0004676275.tif 000003
【図３】
0004676275.tif 000004
【図４】
0004676275.tif 000005
【図５】
0004676275.tif 000006
【図６】
0004676275.tif 000007
【図７】
0004676275.tif 000008
【図８】
0004676275.tif 000009
【図９】
0004676275.tif 000010
【図１０】
0004676275.tif 000011
【図１１】
0004676275.tif 000012